(57)【要約】【課題】結束バンドなどの線材を収納し易くすると共にこれらの線材を取り出し易くし、しかも収納したこれらの線材を取り出して行くにしたがい、これらの線材の本数が少なくなっても、保持力が変わらず、これらの線材が保持部からずれることなく、取り出し難くなることがなく、非常に早く取り出すことができる線材用ホルダーを提供する。【解決手段】可撓性の帯状体１に圧縮可能な弾性部材２を付設し、この弾性部材２に複数本の線材Ｌを巻き込むことにより、これら複数本の線材Ｌを前記弾性部材２に保持するようにしたものとしている。【選択図】    図６
2012171654.tif 000002
【特許請求の範囲】
【請求項１】
可撓性の帯状体（１）に圧縮可能な弾性部材（２）を付設し、この弾性部材（２）に複数本の線材（Ｌ）を巻き込むことにより、これら複数本の線材（Ｌ）を前記弾性部材（２）に保持するようにしたことを特徴とする線材用ホルダー。
【請求項２】
前記帯状体（１）の表面の略全体に前記弾性部材（２）の表当部（２ａ）を付設したものとし、前記帯状体（１）の裏面の一側部に前記表当部（２ａ）の略１／３の横幅の弾性部材（２）の裏当部（２ｂ）を付設したことを特徴とする請求項１記載の線材用ホルダー。
【請求項３】
前記帯状体（１）に面接着ファスナー（４）を取り付け、この面接着ファスナー（４）によって前記弾性部材（２）を巻き込んだ状態に維持しておくようにしていることを特徴とする請求項１または２記載の線材用ホルダー。
【請求項４】
前記帯状体（１）に、使用者の腰ベルトへ取り付けておくための取付け帯（５）を設けたことを特徴とする請求項１〜３の何れかに記載の線材用ホルダー。
【請求項５】
前記帯状体（１）に、使用者が装着している腰袋または工具バッグに吊り下げておくための吊下げ部（６）を設けたことを特徴とする請求項１〜４の何れかに記載の線材用ホルダー。
【請求項６】
前記帯状体（１）に、屑入れ（７）を吊り下げておくための吊下げ部（８）を設けたことを特徴とする請求項１〜３の何れかに記載の線材用ホルダー。
【発明の詳細な説明】
【技術分野】
【０００１】
この発明は、電線やケーブル等の束に巻き付けて結束する結束バンドや、電線やケーブル等に通した保護管を固定するバインド線など、各種の線材を保持するための線材用ホルダーに関するものである。
【背景技術】
【０００２】
従来、この種の線材用ホルダーとしては、例えば図９に示したように、袋状収納具１１と取付け具１２とからなるものが存在する。袋状収納具１１は、結束バンドなどの線材Ｌを収納するために上部が開閉する開閉口１３を有した縦長形状の袋状構造をしている。そして、袋状収納具１１の表側に線材Ｌを手の指で取り出すためのスリット状の線材取出口Ｓを有するものとしている（特許文献１）。
【０００３】
このようにした従来の線材用ホルダーにおいて、線材Ｌを収納するには、複数本の線材Ｌを一度に、その線材Ｌを足側から袋状収納具１の開閉口１３に差し込み、袋状収納具１１内に収納した後、その開閉口１３を閉じておくようにしている。そして、収納した線材Ｌを取り出すには、図１０に示したように、袋状収納具１１の表側の線材取出口Ｓに手の指を差し込み、線材Ｌの頭部と足部の中間に手の指を引っ掛け、袋状収納具１１内に収納した線材Ｌを引き抜くようにしている。
【０００４】
さらに、この種の線材用ホルダーとしては、例えば図１１に示したように、筒体２１と保持部材２２と取付け部材２３とを有したものが存在する。保持部材２２は、基軸２４とブラシ状部材２５とを有している。基軸２４は、筒体２１の内部でその長さ方向に伸びるようにして、筒体２１に取り付けられている。ブラシ状部材２５は、基軸２４から周囲に突出する複数の毛から成っており、基軸２４に取り付けられており、筒体２１の内面に接触している。そして、取付け部材２３は、筒体２１を携帯箇所に取り付け可能として筒体２１に設けられているとしている（特許文献２）。
【０００５】
このようにした従来の線材用ホルダーにおいて、結束バンドなどの線材Ｌを収納するには、線材Ｌを一本ずつ、足側ｆから筒体２１内のブラシ状部材２５に差し込んで、図１２に示したように、その頭部ｈが筒体２１の上端開口から突出した状態で、ブラシ状部材２５に保持させるようにしている。そして、収納した線材Ｌを取り出すには、筒体２１の上端開口から突出した頭部ｈを手の指で摘んで引き抜くようにしている。
【先行技術文献】
【特許文献】
【０００６】
【特許文献１】実用新案登録第３１３５８０６号公報
【特許文献２】特開２０００−１０３４６４号公報
【発明の概要】
【発明が解決しようとする課題】
【０００７】
図９、１０に示した従来の線材用ホルダーでは、線材Ｌを収納するには、複数本の線材Ｌを一度に収納することができるので、非常に便利である。しかしながら、この線材用ホルダーでは、収納した線材Ｌを取り出すには、線材Ｌの頭部と足部の中間に手の指を引っ掛けて、線材Ｌを引き抜くようにしているため、線材Ｌが曲がった状態となって取り出し難くなることがあるという問題点を有していた。
【０００８】
さらに、図１１、１２に示した従来の線材用ホルダーでは、線材Ｌを収納するには、線材Ｌを一本ずつ筒体２１内に差し込まなければならないので、非常に面倒であるという問題点を有していた。また、収納した線材Ｌを取り出すには、筒体２１の上端開口から突出した頭部ｈを手の指で摘んで引き抜くようにしているため、取り出し易いものとなっているが、収納した線材Ｌを取り出して行くにしたがい、線材Ｌの本数が少なくなると、ブラシ状部材２５との摩擦抵抗が全体的に弱まり保持力が低下して、その頭部ｈがブラシ状部材２５内に落ち込んで取り出し難くなることがあるという問題点を有していた。
【０００９】
そこで、この発明は、上記従来の問題点を解決することをその課題としており、結束バンドやバインド線などの線材を収納し易くすると共にこれらの線材を取り出し易くし、しかも収納したこれらの線材を取り出して行くにしたがい、これらの線材の本数が少なくなっても、保持力が変わらず、これらの線材が保持部からずれることなく、取り出し難くなることがなく、非常に早く取り出すことができる線材用ホルダーを提供することを目的としてなされたものである。
【課題を解決するための手段】
【００１０】
そのため、この発明の線材用ホルダーは、可撓性の帯状体１に圧縮可能な弾性部材２を付設し、この弾性部材２に複数本の線材Ｌを巻き込むことにより、これら複数本の線材Ｌを前記弾性部材２に保持するようにしたものとしている。
【００１１】
そして、この発明の線材用ホルダーは、前記帯状体１の表面の略全体に前記弾性部材２の表当部２ａを付設したものとし、前記帯状体１の裏面の一側部に前記表当部２ａの略１／３の横幅の弾性部材２の裏当部２ｂを付設したものとしている。
【００１２】
さらに、この発明の線材用ホルダーは、前記帯状体１に面接着ファスナー４を取り付け、この面接着ファスナー４によって前記弾性部材２を巻き込んだ状態に維持しておくようにしている。
【００１３】
また、この発明の線材用ホルダーは、前記帯状体１に、使用者の腰ベルトへ取り付けておくための取付け帯５を設けたものとしている。
【００１４】
さらに、この発明の線材用ホルダーは、前記帯状体１に、使用者が装着している腰袋または工具バッグに吊り下げておくための吊下げ部６を設けたものとしている。
また、この発明の線材用ホルダーは、前記帯状体１に、屑入れ７を吊り下げておくため      
【００１５】
の吊下げ部８を設けたものとしている。
【発明の効果】
【００１６】
この発明の線材用ホルダーは、以上に述べたように構成されているので、結束バンドやバインド線などの線材が収納し易くなると共にこれらの線材が取り出し易くなり、しかも収納したこれらの線材を取り出して行くにしたがい、これらの線材の本数が少なくなっても、保持力が変わらず、これらの線材が保持部からずれることなく、取り出し難くなることがなく、非常に早く取り出すことができるものとなった。
【図面の簡単な説明】
【００１７】
【図１】この発明の線材用ホルダーの一実施形態を正面側から見た斜視図である。
【図２】図１に示したこの発明の線材用ホルダーを背面側から見た斜視図である。
【図３】図１に示したこの発明の線材用ホルダーを展開した状態の正面側から見た斜視図である。
【図４】図１に示したこの発明の線材用ホルダーを展開した状態の背面側から見た斜視図である。
【図５】この発明の線材用ホルダーに結束バンドを保持させる手順を示す説明図である。
【図６】この発明の線材用ホルダーに結束バンドを保持させた状態を示す説明図である。
【図７】この発明の線材用ホルダーの屑入れの一例を示す背面側から見た斜視図である。
【図８】この発明の線材用ホルダーの屑入れの他の例を示す背面側から見た斜視図である。
【図９】従来の線材用ホルダーの一例を示す斜視図である。
【図１０】図９に示した従来の線材用ホルダーから結束バンドを取り出す状態を示す説明図である。
【図１１】従来の線材用ホルダーの他の例を示す分解斜視図である。
【図１２】図１１に示した従来の線材用ホルダーの使用状態を示す説明図である。
【発明を実施するための形態】
【００１８】
以下、この発明の線材用ホルダーを実施するための形態を、図面に基づいて詳細に説明する。
【００１９】
この発明の線材用ホルダーは、可撓性の帯状体１に圧縮可能な弾性部材２を付設し、この弾性部材２に複数本の線材Ｌを巻き込むことにより、これら複数本の線材Ｌを前記弾性部材２に保持するようにしたものとしている。すなわち、この発明の線材用ホルダーは、図１〜４に示したように、可撓性の帯状体１に圧縮可能な弾性部材２を付設したものとしており、図５に示したように、前記弾性部材２の上に複数本の結束バンドなどの線材Ｌを置き、図６に示したように、この弾性部材２を巻き込むことにより、その巻き込んだ弾性部材２の間に前記線材Ｌを挟み込むようにして保持するようにしたものとしている。
【００２０】
前記帯状体１は、横長の略四角形状の布地、合成樹脂地、皮革地等からなり、その表面の略全体に弾性部材２の表当部２ａを添わせて、その両側部を縫着し、帯状体１を略三等分する位置の上下に掛け渡した紐状の止体３で、その表当部２ａの中間部を帯状体１側から浮かないようにして、弾性部材２の表当部２ａを付設したものとしている。さらに、前記帯状体１は、その裏面の一側部に前記表当部２ａの略１／３の横幅の弾性部材２の裏当部２ｂを添わせて、その両側部を縫着し、弾性部材２の裏当部２ｂを付設したものとしている。このようにした帯状体１は、前記弾性部材２を巻き込んだとき、表当部２ａどうしの間、または表当部２ａと裏当部２ｂの間に、前記線材Ｌが挟み込まれて保持されることになる。なお、前記帯状体１は、横長形状に限定されることなく、場合によっては縦長形状にしてもよい。また、前記弾性部材２は、帯状体１の裏面に裏当部２ｂを付設したものとせず、表面の略全体に表当部２ａのみを付設したものとしてもよい。さらに、前記弾性部材２の付設方法も縫着に限定されることなく、リベット止めしたり、接着剤を使用するなどして付設することもできる。
【００２１】
前記弾性部材２は、連続発泡のポリウレタン、ポリエチレン等のスポンジ体をすることができ、表当部２ａ、裏当部２ｂともに圧縮されていない状態で５〜２０ｍｍ程度の厚さを有するものとするのが、巻き込み易いものとなり好ましい。なお、前記弾性部材２の巻き込み加減によって、線材Ｌの保持具合を調節することができる。すなわち、前記弾性部材２を強く巻き込むことによって、線材Ｌの保持力を強くすることができ、前記弾性部材２を弱く巻き込むことによって、線材Ｌの保持力を弱くすることができる。この線材Ｌの保持具合は、各使用者に応じて取り出し易い程度に調節すればよい。
【００２２】
さらに、前記帯状体１には、面接着ファスナー４を取り付けたものとしており、この面接着ファスナー４によって、前記弾性部材２を巻き込んだ状態に維持しておくようにしている。例えば図示したように、前記帯状体１の一側端に面接着ファスナー４の一方４ａを取り付けており、帯状体１の裏面の略中央に前記面接着ファスナー４の他方４ｂを取り付けており、前記弾性部材２を巻き込んだとき、これら面接着ファスナー４の一方４ａと他方４ｂを互いに接着させて、弾性部材２をその巻き込んだ状態に維持しておくようにしている。
【００２３】
また、前記帯状体１には、使用者の腰ベルトへ直接、取り付けておくための取付け帯５を裏面の一側端寄りに設けたり、使用者が装着している腰袋（図示せず）または工具バッグ（図示せず）に吊り下げておくための吊下げ部６を上端に設けたり、屑入れ７を吊り下げておくための吊下げ部８を一端に設けたものとしている。図示したものでは、吊下げ部６および吊下げ部８は、金属製や硬質合成樹脂製のフック環としているが、布製や軟質合成樹脂製の環状体（図示せず）とするなど、任意なものとすることができる。
【００２４】
前記取付け帯５は、裏面に面接着ファスナー４の一方４ａを取り付け、これに接着する面接着ファスナー４の他方４ｂを帯状体１の裏面に取り付けたものとしており、その帯状体１と取付け帯５の間に使用者の腰ベルトを通して、これら面接着ファスナー４の一方４ａと他方４ｂを互いに接着させて、使用者の腰ベルトに取り付けておくようにしている。
【００２５】
前記屑入れ７は、縦長の袋状としており、布地、合成樹脂地、皮革地等からなり、図７に示したように、その口端部に吊下げ部６を設けたり、図８に示したように、その口端部にホック付き吊下げ帯９を設け、これら吊下げ部６や吊下げ帯９を前記帯状体１の吊下げ部８に吊り下げておくようにしている。この屑入れ７は、電線やケーブル等の束を保持した後の線材Ｌの切り屑や、電線やケーブル等に通した保護管を固定した後の線材Ｌの切り屑を入れておくためのものである。
【００２６】
前記線材Ｌは、図示したものでは、可撓性の合成樹脂材等からなる１０〜２５ｃｍ程度の細長い板状体とした結束バンドとしており、胴部ｍの片面の幅方向に複数の止溝（図示せず）を形成し、頭部ｈに止孔１０を形成し、足部ｆを胴部ｍよりさらに細くして折り曲げている。この線材Ｌで電線やケーブル等の束を保持するには、これらに巻き付けて、足部ｆを頭部ｈの止孔１０に通し締め付けて、頭部ｈの止孔１０に胴部ｍの止溝を止着しておけばよい。そして、前記止孔１０から食み出た胴部ｍや足部ｆの余計な部分は、必要に応じてニッパ等で切断し、その切り屑を前記したように屑入れ７に入れておけば、切り屑が散らかることはない。なお、前記線材Ｌをバインド線とした場合にも、電線やケーブル等に通した保護管を固定した後のバインド線の切り屑も同様にして屑入れ７に入れておけば、切り屑が散らかることはないのはいうまでもない。
【００２７】
このように構成したこの発明の線材用ホルダーは、図５に示したように、弾性部材２の上に結束バンドやバインド線などとした複数本の線材Ｌを置き、図６に示したように、この弾性部材２を巻き込むだけで、その巻き込んだ弾性部材２の間にこれら線材Ｌを挟み込むようにして保持することができるので、複数本の線材Ｌを一度に、しかも簡単に保持することができるものとなる。
【００２８】
そして、この発明の線材用ホルダーは、図５に示したように、弾性部材２の上に複数本の線材Ｌを置くときに、線材Ｌをバインド線とした場合には、その線材Ｌの頭部ｈを各使用者に応じて取り出し易い程度に突出させておけば、弾性部材２を巻き込んだときにも線材Ｌの頭部ｈをその突出した状態で保持しておけるので、その使用者にとって線材Ｌが非常に早く取り出せるものとなる。さらに、この発明の線材用ホルダーは、線材Ｌの寸法が長い場合でも、その線材Ｌの足部ｆ側を弾性部材２の下側に食み出させておけるので、前記線材Ｌの頭部ｈを突出させておく程度が多くても少なくても差し支えることがないものとなる。なお、この発明の線材用ホルダーは、前記線材Ｌをバインド線とした場合には、そのバインド線を二つ折りにして保持しておくこともできる。
【００２９】
さらに、この発明の線材用ホルダーは、図６に示したように、複数本の線材Ｌを保持した状態から、これらの線材Ｌを取り出して行くにしたがい、これらの線材Ｌの本数が少なくなっても、保持力が変わらず、これらの線材Ｌが弾性部材２からずれることなく、取り出し難くなることがなく、しかも早く取り出せるものとなる。なお、前記線材Ｌを取り出し過ぎた場合など、その一度取り出した線材Ｌを、もう一度巻き込んだ弾性部材２の間に差し込むこともでき、使用し易いものとなる。
【００３０】
また、この発明の線材用ホルダーは、線材Ｌをすべて取り出した後も、そのまま巻き込んだ弾性部材２の間に、もう一度線材Ｌを差し込んで使用することもでき、この場合には弾性部材２を巻き戻す作業が不要となるので、線材Ｌを保持するための素早い対応ができる。
【符号の説明】
【００３１】
１  帯状体
２  弾性部材
２ａ  表当部
２ｂ  裏当部
４  面接着ファスナー
５  取付け帯
６  吊下げ部
７  屑入れ
８  吊下げ部
Ｌ  線材
【図１】
2012171654.tif 000003
【図２】
2012171654.tif 000004
【図３】
2012171654.tif 000005
【図４】
2012171654.tif 000006
【図５】
2012171654.tif 000007
【図６】
2012171654.tif 000008
【図７】
2012171654.tif 000009
【図８】
2012171654.tif 000010
【図９】
2012171654.tif 000011
【図１０】
2012171654.tif 000012
【図１１】
2012171654.tif 000013
【図１２】
2012171654.tif 000014